(57)【要約】      （修正有）【課題】緊急照明灯の使用寿命が長く、コンパクトで壁掛け設置しやすい緊急照明装置及び緊急照明装置を備えた設備を提供する。【解決手段】交流電源と電気的に接続され、交流電流を直流電流に変換する交流／直流電源コンバータユニット１０１と、交流／直流電源コンバータユニット１０１に電気的に接続された少なくとも１つのコンデンサ１０４と、コンデンサ１０４に電気的に接続された少なくとも１つの発光ダイオード（ＬＥＤ）ランプ１０３とを含み、交流／直流電源コンバータユニット１０１が出力する直流電流がコンデンサ１０４に対して充電を行い、交流電流が中断したとき、コンデンサ１０４が貯蔵した電力を発光ダイオードランプ１０３に出力する。【選択図】図１
0003190399.tif 000002
【実用新案登録請求の範囲】
【請求項１】
交流電源と電気的に接続するために用いる緊急照明装置であって、
前記交流電源と電気的に接続され、交流電流を直流電流に変換する交流／直流電源コンバータユニットと、
前記交流／直流電源コンバータユニットに電気的に接続された少なくとも１つのコンデンサと、
前記コンデンサに電気的に接続された少なくとも１つの発光ダイオード（ＬＥＤ）ランプと、
を含み、前記交流／直流電源コンバータユニットが出力する前記直流電流が前記コンデンサに対して充電を行い、前記交流電流が中断したとき、前記コンデンサが貯蔵した電力を前記発光ダイオードランプに出力することを特徴とする、緊急照明装置。
【請求項２】
周辺環境の光源輝度を検出する光センサ制御ユニットを含み、前記交流／直流電源コンバータユニット、前記光センサ制御ユニット、前記発光ダイオードランプが相互に電気的に接続され、且つ前記コンデンサが前記交流／直流電源コンバータユニットと前記光センサ制御ユニットの間に電気的に接続されることを特徴とする、請求項１に記載の緊急照明装置。
【請求項３】
前記光センサ制御ユニットがフォトレジスタ、フォトトランジスタまたはフォトダイオードのいずれかであることを特徴とする、請求項２に記載の緊急照明装置。
【請求項４】
前記交流／直流電源コンバータユニットが、定電流電源または容量性リアクタンス限流電源であることを特徴とする、請求項１に記載の緊急照明装置。
【請求項５】
緊急照明装置を備えたナイトランプであって、請求項１乃至４のいずれかに記載の緊急照明装置を含み、対応して閉じ合わせられる外殼を有し、前記外殼内の空間に回路板が収容され、前記交流／直流電源コンバータユニット、前記光センサ制御ユニット、前記発光ダイオードランプ、前記コンデンサが前記回路板上に設置され、かつ前記外殼に前記発光ダイオードランプを覆うランプカバーが設置され、前記回路板上の前記交流／直流電源コンバータユニットに導電刃が設置され、前記交流電源との接続に用いられることを特徴とする、緊急照明装置を備えたナイトランプ。
【請求項６】
緊急照明装置を備えた壁面コンセントであって、請求項１乃至４のいずれかに記載の緊急照明装置を含み、対応して閉じ合わせられる外殼を有し、前記外殼内の空間に回路板が収容され、前記交流／直流電源コンバータユニット、前記光センサ制御ユニット、前記発光ダイオードランプ、前記コンデンサが前記回路板上に設置され、かつ前記外殼に開孔が形成され、前記外殼に発光ランプカバーが設置され、前記光センサ制御ユニットが前記開孔に対応して設置されて周辺環境に対し輝度の検出を行い、前記発光ダイオードランプが発する光が前記発光ランプカバーを介して発せられることを特徴とする、緊急照明装置を備えた壁面コンセント。
【請求項７】
緊急照明装置を備えたテーブルタップであって、請求項１乃至４のいずれかに記載の緊急照明装置を含み、対応して閉じ合わせられる外殼を有し、前記外殼内の空間に回路板が収容され、前記交流／直流電源コンバータユニット、前記光センサ制御ユニット、前記発光ダイオードランプ、前記コンデンサが前記回路板上に設置され、かつ前記外殼に開孔が形成され、前記外殼に発光ランプカバーが設置され、前記光センサ制御ユニットが前記開孔に対応して設置されて周辺環境に対し輝度の検出を行い、前記発光ダイオードランプが発する光が前記発光ランプカバーを介して発せられることを特徴とする、緊急照明装置を備えたテーブルタップ。
【請求項８】
緊急照明装置を備えたコンセントアダプタであって、請求項１乃至４のいずれかに記載の緊急照明装置を含み、対応して閉じ合わせられる外殼を有し、前記外殼内の空間に回路板が収容され、前記交流／直流電源コンバータユニット、前記光センサ制御ユニット、前記発光ダイオードランプ、前記コンデンサが前記回路板上に設置され、かつ前記外殼に開孔が形成され、前記外殼に発光ランプカバーが設置され、前記光センサ制御ユニットが前記開孔に対応して設置されて周辺環境に対し輝度の検出を行い、前記発光ダイオードランプが発する光が前記発光ランプカバーを介して発せられることを特徴とする、緊急照明装置を備えたコンセントアダプタ。
【考案の詳細な説明】
【技術分野】
【０００１】
本考案は、少なくとも１つのコンデンサを利用して充放電を行い、都市電力の供給がないときに電力を少なくとも１つの発光ダイオード（ＬＥＤ）ランプに提供し、発光放電を行う緊急照明装置及び緊急照明装置を備えた設備に関する。
【背景技術】
【０００２】
緊急照明灯は一般的に蓄電池または充電池を緊急電源として使用しており、電力会社等からの電力の供給があるとき蓄電池に充電を行い、このような電力の供給がないとき蓄電池が放電を行って照明灯を発光させるようになっている。
【０００３】
しかしながら、蓄電池または充電池は化学反応を利用して電気エネルギーの貯蔵と放出を行うものであり、その放電時間は比較的長いが、時間の推移に伴って蓄電特性が悪くなり、長時間充電して待機している過程で１回の放電を行うとその寿命に到達してしまうことがある。特に、蓄電池が電気エネルギーを放出する過程で一度に電気エネルギー全部を放出してしまうと蓄電池に対するダメージが大きい。
さらに、通常の蓄電池は嵩張るので、市販されている緊急照明灯は蓄電池を収容するためにいずれも大型であり、壁面上に掛けるときも工事費がかかることが多く、非常に不便である。
【考案の概要】
【考案が解決しようとする課題】
【０００４】
本考案が解決しようとする課題は、上述の問題を解決し、緊急照明灯の使用寿命が長く、コンパクトで壁掛け設置しやすい緊急照明装置及び緊急照明装置を備えた設備を提供することにある。
【課題を解決するための手段】
【０００５】
本考案の緊急照明装置は、交流電源と電気的に接続され、交流電流を直流電流に変換する交流／直流電源コンバータユニットと、前記交流／直流電源コンバータユニットに電気的に接続された少なくとも１つのコンデンサと、前記コンデンサに電気的に接続された少なくとも１つの発光ダイオード（ＬＥＤ）ランプとを含み、前記交流／直流電源コンバータユニットが出力する前記直流電流が前記コンデンサに対して充電を行い、前記交流電流が中断したとき、前記コンデンサが貯蔵した電力を前記発光ダイオードランプに出力する。
【０００６】
本考案の緊急照明装置は以下の構成を有することがある。
周辺環境の光源輝度を検出する光センサ制御ユニットを含み、前記交流／直流電源コンバータユニット、前記光センサ制御ユニット、前記発光ダイオードランプが相互に電気的に接続され、且つ前記コンデンサが前記交流／直流電源コンバータユニットと前記光センサ制御ユニットの間に電気的に接続される構成。
前記光センサ制御ユニットがフォトレジスタ、フォトトランジスタまたはフォトダイオードのいずれかである構成。
前記交流／直流電源コンバータユニットが、定電流電源または容量性リアクタンス限流電源である構成。
【０００７】
本考案の緊急照明装置を備えたナイトランプは、上記のいずれかの緊急照明装置を含み、対応して閉じ合わせられる外殼が設置され、前記外殼内の空間に回路板が収容され、前記交流／直流電源コンバータユニット、前記光センサ制御ユニット、前記発光ダイオードランプ、前記コンデンサが前記回路板上に設置され、かつ前記外殼に前記発光ダイオードランプを覆うランプカバーが設置され、前記回路板上の前記交流／直流電源コンバータユニットに導電刃が設置され、前記交流電源との接続に用いられる。
【０００８】
本考案の緊急照明装置を備えた壁面コンセントは、上記のいずれかの緊急照明装置を含み、対応して閉じ合わせられる外殼を有し、前記外殼内の空間に回路板が収容され、前記交流／直流電源コンバータユニット、前記光センサ制御ユニット、前記発光ダイオードランプ、前記コンデンサが前記回路板上に設置され、かつ前記外殼に開孔が形成され、前記外殼に発光ランプカバーが設置され、前記光センサ制御ユニットが前記開孔に対応して設置されて周辺環境に対し輝度の検出を行い、前記発光ダイオードランプが発する光が前記発光ランプカバーを介して発せられる。
【０００９】
本考案の緊急照明装置を備えたテーブルタップは、上記のいずれかの緊急照明装置を含み、対応して閉じ合わせられる外殼を有し、前記外殼内の空間に回路板が収容され、前記交流／直流電源コンバータユニット、前記光センサ制御ユニット、前記発光ダイオードランプ、前記コンデンサが前記回路板上に設置され、かつ前記外殼に開孔が形成され、前記外殼に発光ランプカバーが設置され、前記光センサ制御ユニットが前記開孔に対応して設置されて周辺環境に対し輝度の検出を行い、前記発光ダイオードランプが発する光が前記発光ランプカバーを介して発せられる。
【００１０】
本考案の緊急照明装置を備えたコンセントアダプタは、上記のいずれかの緊急照明装置を含み、対応して閉じ合わせられる外殼を有し、前記外殼内の空間に回路板が収容され、前記交流／直流電源コンバータユニット、前記光センサ制御ユニット、前記発光ダイオードランプ、前記コンデンサが前記回路板上に設置され、かつ前記外殼に開孔が形成され、前記外殼に発光ランプカバーが設置され、前記光センサ制御ユニットが前記開孔に対応して設置されて周辺環境に対し輝度の検出を行い、前記発光ダイオードランプが発する光が前記発光ランプカバーを介して発せられる。
【考案の効果】
【００１１】
本考案の効果は次の通りである。
１、本考案の緊急照明装置及び緊急照明装置を備えた設備等は都市電力の供給があるとき前記コンデンサに対して充電を行い、停電時かつ夜間は前記コンデンサが放電して前記発光ダイオードランプに電気エネルギーを提供し、発光させる。コンデンサそのものの構造が絶え間なく充電と放電を行うものであり、かつ一度に電気エネルギー全部を放出してもコンデンサにはダメージが生じないため、緊急照明装置の使用寿命を延長し、電気エネルギーを節約する効果が達せられる。
２、本考案は前記コンデンサを採用して停電時に複数の発光ダイオードランプに電気エネルギーを提供するため、従来の蓄電池より前記緊急照明装置の体積を大幅に縮小でき、体積がより小さく、壁面上に掛けやすい。
３、本考案は前記コンデンサを採用して電気エネルギーの貯蔵に用いるため、充電速度が速いという利点があり、迅速に充電して使用することができ、充電待ち時間を短縮できる。
【図面の簡単な説明】
【００１２】
【図１】本考案の緊急照明装置のブロック図である。
【図２】本考案の緊急照明装置を備えたナイトランプの斜視図である。
【図３】本考案の緊急照明装置を備えたナイトランプの側断面図である。
【図４】本考案の緊急照明装置を備えた壁面コンセントの正面図である。
【図５】本考案の緊急照明装置を備えた壁面コンセントの外殼を開けた状態の背面斜視図である。
【図６】本考案の緊急照明装置を備えたテーブルタップの正面図である。
【図７】本考案の緊急照明装置を備えたテーブルタップの外殼を開けた状態の背面斜視図である。
【図８】本考案の緊急照明装置を備えたコンセントアダプタの斜視図である。
【図９】本考案の緊急照明装置を備えたコンセントアダプタの外殼を開けた状態の背面斜視図である。
【考案を実施するための形態】
【００１３】
以下、本考案の実施例を図面に基づいて詳細に説明する。
図１は、本考案の実施例を示す緊急照明装置のブロック図である。本考案の緊急照明装置１００は、この順序に従って電気的に接続された交流／直流電源コンバータユニット１０１、光センサ制御ユニット１０２、発光ダイオードランプ１０３、及び前記交流／直流電源コンバータユニット１０１と前記光センサ制御ユニット１０２の間に接続されたコンデンサ１０４を含む。
【００１４】
交流／直流電源コンバータユニット１０１は交流電源１０５に接続され、交流電流を受け取り、前記交流電流を直流電流に変換し、直流電流を光センサ制御ユニット１０２、発光ダイオードランプ１０３、コンデンサ１０４に供給するために用いられる。
光センサ制御ユニット１０２は周辺環境光源の輝度を検出するために用いられる。
コンデンサ１０４は都市電力の給電があるとき存在する電路を通じて充電を行い、都市電力の給電がなく、かつ周辺環境が暗い状態にあることを光センサ制御ユニット１０２が検出したとき、発光ダイオードランプ１０３に給電して放電を行い、発光させるために用いられる。
【００１５】
緊急照明装置１００は光センサ制御ユニット１０２を省いてもよく、この場合、交流／直流電源コンバータユニット１０１が直接発光ダイオードランプ１０３と電気的に接続され、コンデンサ１０４が直接交流／直流電源コンバータユニット１０１と発光ダイオードランプ１０３の間に接続される（図示しない）。このような状況では、停電状態になると、コンデンサ１０４が自動的に内部に貯蔵された電力を発光ダイオードランプ１０３に出力し、発光ダイオードランプ１０３を発光させる。
好ましくは、交流電源１０５の交流電流入力範囲は９０ＶＡＣ〜２４０ＶＡＣであり、使用時に異なる電圧範囲を選択できる。
【００１６】
好ましくは、交流／直流電源コンバータユニット１０１が定電流電源または容量性リアクタンス限流電源であり、バックエンドの光センサ制御ユニット１０２及び発光ダイオードランプ１０３に電力を提供する。
好ましくは、光センサ制御ユニット１０２はフォトレジスタ（ＣＤＳ）、フォトトランジスタまたはフォトダイオードのいずれか、またはその他センサ素子を使用することができ、環境の光源輝度の検出に用いられる。
【００１７】
好ましくは、発光ダイオードランプ１０３は顧客のニーズに合わせて輝度の調整を行い、輝度の調整を行うときフロントエンドの交流／直流電源コンバータユニット１０１からマッチングを行う必要がある。例えば正常な状況下で、発光ダイオードランプ１０３は都市電力により電力が供給され、このときＬＥＤは１００％の照度で発光し、停電時は、交流／直流電源コンバータユニット１０１が電流を出力せず、かつ周辺環境の輝度が暗い状態にあると光センサ制御ユニット１０２が検出したとき、コンデンサ１０４は自動的に内部に貯蔵された電源を出力し、前記電力がＲＣ回路からゆっくりと放出され、電流を放出する時間は６０秒〜３００秒にあらかじめ設定できる。発光ダイオードランプ１０３の発光時間を延長するため、発光ダイオードランプ１０３の輝度は１０％〜１００％の範囲で設定でき、設定された輝度値が比較的低いとき、より長い点灯時間を維持することができる。
【実施例１】
【００１８】
図２及び図３は、緊急照明装置１００（図１）がナイトランプ２００内に設置された実施例１を示す。
ナイトランプ２００は、対応して閉じ合わせられる外殼２０３を有し、外殼２０３内の空間が回路板２０１を収容するために用いられ、交流／直流電源コンバータユニット１０１、光センサ制御ユニット１０２、発光ダイオードランプ１０３、コンデンサ１０４が回路板２０１上に設置される。
外殼２０３上に発光ダイオードランプ１０３を覆ってランプカバー２０２が設置され、回路板２０１上の交流／直流電源コンバータユニット１０１が導電刃２０４に電気的に接続され、交流電源１０５との接続に用いられる。
使用時は導電刃２０４を交流電源１０５に接続し、交流電流を通じてナイトランプ２００が正常に点灯される。停電時または人為的に電源を切断し、かつ周辺環境が暗い状態にあるとナイトランプ２００の光センサ制御ユニット１０２が検出したとき、コンデンサ１０４が自動的に発光ダイオードランプ１０３に電力を供給し、発光ダイオードランプ１０３を発光させる。これにより、本考案の緊急照明装置を備えたナイトランプは停電時に緊急照明効果を提供する。
【実施例２】
【００１９】
図４及び図５に、緊急照明装置１００（図１）が壁面コンセント３００内に設置された実施例２を示す。
壁面コンセント３００は、対応して閉じ合わせられる外殼３０２を有し、外殼３０２内の空間が回路板３０１を収容するために用いられ、交流／直流電源コンバータユニット１０１、光センサ制御ユニット１０２、発光ダイオードランプ１０３、コンデンサ１０４が回路板３０１上に設置される。
外殼３０２に開孔３０３が形成され、かつ外殼３０２上に発光ランプカバー３０６が設置される。光センサ制御ユニット１０２は、開孔３０３に対応して設置され、周辺環境の輝度の検出を行う。また、発光ダイオードランプ１０３が発する光は発光ランプカバー３０６を介して発せられる。壁面コンセント３００には差込口３０４が設置され、そこに接続された電器に電源を提供するために用いられる。差込口３０４上に導電刃３０５が設置され、導電刃３０５が交流電源１０５に接続され、壁面コンセント３００に電力を入力するために用いられる。これにより、本考案の緊急照明装置を備えた壁面コンセントは停電時に緊急照明効果を提供する。
【実施例３】
【００２０】
図６及び図７は緊急照明装置１００（図１）がテーブルタップ４００内に設置された実施例３を示す。
テーブルタップ４００は、対応して閉じ合わせられる外殼４０２を有し、外殼４０２内の空間が回路板４０１を収容するために用いられ、交流／直流電源コンバータユニット１０１、光センサ制御ユニット１０２、発光ダイオードランプ１０３（図１）、コンデンサ１０４が回路板４０１上に設置される。
外殼４０２に開孔４０３が形成され、かつ外殼４０２上に発光ランプカバー４０４が設置される。光センサ制御ユニット１０２は、開孔４０３に対応して設置され、環境の輝度の検出を行う。また、発光ダイオードランプ１０３（図６と図７には表示しない）が発する光が発光ランプカバー４０４を介して発せられる。
緊急照明装置１００を備えたテーブルタップ４００にはコード４０５が設置され、テーブルタップ４００の延伸長さが延長され、比較的短い電源コードを備えた電器を任意の位置で使用でき、かつ停電時に緊急照明効果を提供する。
【実施例４】
【００２１】
図８及び図９に緊急照明装置１００（図１）を備えたコンセントアダプタ５００に係る実施例４を示す。コンセントアダプタ５００は壁面コンセント上に差し込んで少なくとも１つの差込口にその他の電器のプラグを差し込んで給電するために用いられる。
コンセントアダプタ５００は、対応して閉じ合わせられる外殼５０２を有し、外殼５０２内の空間が回路板５０１を収容するために用いられ、交流／直流電源コンバータユニット１０１、光センサ制御ユニット１０２、発光ダイオードランプ１０３（図１）、コンデンサ１０４が回路板５０１上に設置される。
外殼５０２に開孔５０３が形成され、かつ外殼５０２上に発光ランプカバー５０４が設置される。光センサ制御ユニット１０２は開孔５０３に対応して設置され、周辺環境の輝度の検出を行う。発光ダイオードランプ１０３（図８と図９には表示しない）が発する光は発光ランプカバー５０４を介して発せられる。コンセントアダプタ５００上に差込口５０５が設置され、そこに接続された電器に電源を提供するために用いられる。差込口５０５上に導電刃５０６が設けられ、導電刃５０６が前記交流電源１０５に接続され、コンセントアダプタ５００に電力を入力するために用いられる。これにより、コンデンサ１０４は都市電力の給電があるとき充電を行い、都市電力の給電がなくかつ周辺環境が暗い状態にあると光センサ制御ユニット１０２が検出したとき、電力を発光ダイオードランプ１０３に供給して放電を行い、発光させて緊急照明効果を提供する。
【００２２】
本考案の緊急照明装置及び緊急照明装置を備えた設備等は、コンデンサ１０４を利用して従来の蓄電池を代替し、内部電力の貯蔵と出力に用いることで、照明装置の体積を縮小し、便利に壁面に掛けて設置できるほか、照明装置の使用寿命を延長することもでき、非常に実用性がある。かつ、停電時人の目が暗い環境に入ると、視覚画面が数秒間完全な暗闇に陥り、目の網膜が一定時間の調整を経てやっと暗闇の環境に完全に適応することができるため、本考案の緊急照明装置は都市電力の供給がない状況下で、コンデンサ１０４を利用して発光ダイオードランプ１０３に電源を提供し、発光ダイオードランプ１０３を発光させて緊急照明の効果を提供することができ、人の目が突然光線を失うことで暗闇に陥ることがなく、別の発光源（懐中電灯など）を探す充分な照明が得られ、暗闇の中でも人々の安全を保護し、移動時にぶつかって転んだりする事故の発生を防止することができる。
【００２３】
以上は、本考案の実施例の説明であって、本考案を権利範囲を限定するものではなく、数値の変更や同等の機能を有する部材への置き換えはいずれも本考案の権利範囲に含まれる。
【符号の説明】
【００２４】
１００  緊急照明装置
１０１  交流／直流電源コンバータユニット
１０２  光センサ制御ユニット
１０３  発光ダイオードランプ
１０４  コンデンサ
１０５  交流電源
２００  ナイトランプ
２０１  回路板
２０２  ランプカバー
２０３  外殼
２０４  導電刃
３００  壁面コンセント
３０１  回路板
３０２  外殼
３０３  開孔
３０４  差込口
３０５  導電刃
３０６  発光ランプカバー
４００  テーブルタップ
４０１  回路板
４０２  外殼
４０３  開孔
４０４  発光ランプカバー
４０５  コード
５００  コンセントアダプタ
５０１  回路板
５０２  外殼
５０３  開孔
５０４  発光ランプカバー
５０５  差込口
５０６  導電刃
【図１】
0003190399.tif 000003
【図２】
0003190399.tif 000004
【図３】
0003190399.tif 000005
【図４】
0003190399.tif 000006
【図５】
0003190399.tif 000007
【図６】
0003190399.tif 000008
【図７】
0003190399.tif 000009
【図８】
0003190399.tif 000010
【図９】
0003190399.tif 000011